(57)【要約】      （修正有）【課題】桁の強度をバランス良く高めることができる段ボールパレットを提供すること。【解決手段】物品が載置される天板と該天板とは反対側にこれと略平行に配される底板とを複数の桁によって連結して成る段ボールパレットにおいて、前記各桁４を、複数のブロック４ａを接合一体化して構成する。又、薄紙を巻き付けて筒状に成形された紙管４ｂの空洞部に複数の前記ブロック４ａを埋め込んで桁４を構成する。複数のブロック４ａを接合一体化して構成された桁４には各ブロック４ａ同士の接合面によって縦と横及び上下方向に補強リブが形成されるため、該桁４の強度が全方向に対してバランス良く高められる。【選択図】図２
2014162486.tif 000002
【特許請求の範囲】
【請求項１】
物品が載置される天板と該天板とは反対側にこれと略平行に配される底板とを複数の桁によって連結して成る段ボールパレットにおいて、前記各桁を、複数のブロックを接合一体化して構成したことを特徴とする段ボールパレット。
【請求項２】
前記各桁を、薄紙を巻き付けて筒状に成形された紙管の空洞部に複数の前記ブロックを埋め込んで構成したことを特徴とする請求項１記載の段ボールパレット。
【請求項３】
前記各ブロックを段ボール板を積層して構成し、これらのブロックの組み合わせによって衝撃方向に対する強度分布を変えるようにしたことを特徴とする請求項１又は２記載の段ボールパレット。
【発明の詳細な説明】
【技術分野】
【０００１】
本発明は、物品の運搬や保管を効率良く行うために使用される段ボールパレットに関するものである。
【背景技術】
【０００２】
物品の運搬や保管に使用される段ボールパレットは、物品が載置される天板と該天板とは反対側にこれと略平行に配される底板とを複数の桁によって連結して構成されるが、各桁には高い強度が要求される。特に、段ボールパレットに載置された物品のフォークリフト等による移動に際しては、段ボールパレットの桁部分が押されることがあるため、桁には通常想定されない作業のも耐え得る強度が要求される。
【０００３】
ここで、従来の段ボールパレットの桁の例を図５〜図７にそれぞれ示す。
【０００４】
即ち、図５〜図７は従来の段ボールパレットの桁の例を示す斜視図であり、図５に示す桁１０は、波板状の中芯１１ａを備える複数の段ボール紙１１をその各中芯１１ａが縦方向を向くようにして重ね合わせて接合することによってブロック状に成形されたものであって、この型桁１０は、上方向からの力Ｆ１には強いが、横方向からの力Ｆ２，Ｆ３には弱いという欠点を有している。
【０００５】
又、図６に示す桁２０は、複数の段ボール紙２１をその各中芯２１ａが縦方向と横方向に向くようにして重ね合わせて接合することによってブロック状に成形されたものであって、この桁２０は、上方向からの力Ｆ１と横方向方向からの力Ｆ２にはやや強いが、横方向からの力Ｆ３には弱いという欠点を有している。
【０００６】
更に、図７に示す桁３０は、薄紙を硬く巻き付けて四角筒状に成形されたものであって、この桁３０は、上方向の力Ｆ１と横方向からの力Ｆ３にはやや強いが、横方向Ｆ２からの力にはやや弱く、横方向の力Ｆ３によって真中が押された場合にはやや弱いという欠点を有している。
【０００７】
ところで、段ボールパレットに関して、特許文献１には、段ボール紙の底板に長方形状の複数の貫通孔を穿設するとともに、天板の下面にブロック状の桁（スペーサ）を接着し、該桁の下面に突設された矩形枠状の凸部を底板の前記貫通孔に嵌め込んで接着することによって、垂直方向及び水平方向の強度の異方性を低減させるようにした構成が提案されている。
【０００８】
又、特許文献２には、紙やダンボール切断加工において排出された紙粉やパルプ抄紙により排出されたパルプスラッジとバインダーとを含むスラリー状組成物を所定形状の脱水成形した後、乾燥させることによって、紙粉やパルプスラッジがバインダーによって接着固化されたパレット用の桁（支持脚部材）を製作する技術が提案されている。
【先行技術文献】
【特許文献】
【０００９】
【特許文献１】特開平１０−０７７０４２号公報
【特許文献２】特開平８−３３７２４７号公報
【発明の概要】
【発明が解決しようとする課題】
【００１０】
しかしながら、特許文献１において提案された段ボールパレットにおいては、桁（スペーサ）の内部が中空になっているため、この桁部分を押すと凹む等の強度上の弱点がある。
【００１１】
又，特許文献２において提案された桁（支持脚部材）は、その製造過程でバインダーが使用されるため、このバインダーに含まれる薬品が環境に悪影響を及ぼす他、桁の重量やコストがアップするという問題がある。
【００１２】
本発明は上記問題に鑑みてなされたもので、その目的とする処は、桁の強度をバランス良く高めることができる段ボールパレットを提供することにある。
【課題を解決するための手段】
【００１３】
上記目的を達成するため、請求項１記載の発明は、物品が載置される天板と該天板とは反対側にこれと略平行に配される底板とを複数の桁によって連結して成る段ボールパレットにおいて、前記各桁を、複数のブロックを接合一体化して構成したことを特徴とする。
【００１４】
請求項２記載の発明は、請求項１記載の発明において、前記各桁を、薄紙を巻き付けて筒状に成形された紙管の空洞部に複数の前記ブロックを埋め込んで構成したことを特徴とする。
【００１５】
請求項３記載の発明は、請求項１又は２記載の発明において、前記各ブロックを段ボール板を積層して構成し、これらのブロックの組み合わせによって衝撃方向に対する強度分布を変えるようにしたことを特徴とする。
【発明の効果】
【００１６】
請求項１記載の発明によれば、複数のブロックを接合一体化して構成された桁には各ブロック同士の接合面によって縦と横及び上下方向に補強リブが形成されるため、該桁の強度を全方向に対してバランス良く高めることができる。
【００１７】
請求項２記載の発明によれば、薄紙を巻き付けて筒状に成形された紙管の空洞部に複数のブロックを埋め込んで構成される桁は、その長手方向側面が横方向の力で押されても凹むことがなく、その全方向に対する強度が一層高められる。
【００１８】
請求項３記載の発明によれば、衝撃方向に対する段ボールパレットの強度を部分的に高めることができる。
【図面の簡単な説明】
【００１９】
【図１】本発明の実施の形態１に係る段ボールパレットの斜視図である。
【図２】本発明の実施の形態１に係る段ボールパレットの桁を示す図であって、（ａ）はブロック接合前の状態を示す分解斜視図、（ｂ）ブロック接合後の斜視図である。
【図３】本発明の実施の形態２に係る段ボールパレットの斜視図である。
【図４】本発明の実施の形態２に係る段ボールパレットの桁を示す図であって、（ａ）はブロック埋込前の状態を示す分解斜視図、（ｂ）ブロック埋込後の斜視図である。
【図５】従来例１に係る段ボールパレットの桁の斜視図である。
【図６】従来例２に係る段ボールパレットの桁の斜視図である。
【図７】従来例３に係る段ボールパレットの桁の斜視図である。
【発明を実施するための形態】
【００２０】
以下に本発明の実施の形態を添付図面に基づいて説明する。
【００２１】
＜実施の形態１＞
図１は本発明の実施の形態１に係る段ボールパレットの斜視図、図２は同段ボールパレットの桁を示す図であって、（ａ）はブロック接合前の状態を示す分解斜視図、（ｂ）ブロック接合後の斜視図である。
【００２２】
本実施の形態に係る段ボールパレット１は、図１に示すように、不図示の物品が載置される段ボール紙製の天板２と該天板２とは反対側の下側にこれと略平行に配された同じく段ボール紙製の底板３とを直方体状の複数の桁４によって連結して構成されている。
【００２３】
上記桁４は、本実施の形態では９個（図１には５個のみ図示）配置されており、各桁４同士は、これらに架け渡された板状の連結部材５によって互いに連結されている。
【００２４】
而して、本実施の形態では、各桁４は、図２（ａ）に示すようにダンボール紙によって中空の直方体状に成形された計８個の小さなブロック４ａを図２（ｂ）に示すように接合一体化して構成されている。
【００２５】
上述のように８個の小さなブロック４ａを接合一体化して成る計９個の桁４によって天板２と底板３が連結されることによって構成された段ボールパレット１は、その上に載置される物品の運搬や保管に使用されるが、各桁４には、物品の重量に耐え得るだけの十分な圧縮強度が要求されるとともに、フォークリフト等による移動に際しては桁４の部分が押されることがあるため、桁４には通常想定されない作業のも耐え得る強度が要求される。
【００２６】
本実施の形態に係る段ボールパレット１においては、８個の小さなブロック４ａを接合一体化して各桁４を構成したため、各桁４には各ブロック４ａ同士の図２（ｂ）に示す接合面Ｓ１，Ｓ２，Ｓ３によって縦と横及び上下方向に補強リブが形成される。このため、各桁４の上方向空の力Ｆ１、横方向からの力Ｆ２，Ｆ３に対する強度が高められ、その強度を全方向に対してバランス良く高めることができ、各桁４には通常想定されない作業のも耐え得る強度が確保される。
【００２７】
尚、本実施の形態では、直方体状の８個のブロック４ａを接合一体化して１つの桁４を構成したが、各桁４を構成するブロック４ａの形状と個数は本実施の形態に示したものに限定されず、これらは任意に設定され得るものである。
【００２８】
＜実施の形態２＞
次に、本発明の実施の形態２を図３及び図４に基づいて以下に説明する。
【００２９】
図３は本発明の実施の形態２に係る段ボールパレットの斜視図、図４は同段ボールパレットの桁を示す図であって、（ａ）はブロック埋込前の状態を示す分解斜視図、（ｂ）ブロック埋込後の斜視図であり、これらの図においては図１及び図２において示したものと同一要素には同一符号を付しており、以下、それらについての再度の説明は省略する。
【００３０】
本実施の形態に係る段ボールパレット１も、図３に示すように、不図示の物品が載置される段ボール紙製の天板２と該天板２とは反対側の下側にこれと略平行に配された同じく段ボール紙製の底板３とを直方体状の複数の桁４によって連結して構成されているが、各桁４の構成が前記実施の形態１のそれとは異なっている。
【００３１】
即ち、本実施の形態においては、各桁４は、薄紙を巻き付けて四角筒状に成形された紙管４ｂの空洞部に前記実施の形態１と同様の計８個の小さなブロック４ａを埋め込んで構成されている。
【００３２】
而して、本実施の形態に係る段ボールパレット１においても、前記実施の形態１と同様に各桁４にはブロック４ａ同士の接合面によって縦と横及び上下方向に補強リブが形成されるため、該桁４の強度が上方向の力Ｆ１及び横方向の力Ｆ２，Ｆ３に対してバランス良く高められるが、薄紙を巻き付けて四角筒状に成形された紙管４ｂの空洞部には８個のブロック４ａが埋め込まれているため、核桁４の長手方向側面が横方向の力Ｆ３で押されても凹むことがなく、その全方向に対する強度が一層高められるという効果が得られる。
【００３３】
尚、本実施の形態においては、各桁４を構成する紙管４ｂの形状及びブロック４ａの形状と個数は本実施の形態に示したものに限定されず、これらは任意に設定され得るものである。又、ブロック４ａを段ボール板を積層して構成しても良く、物品の特性に合わせてその強度を変える組み合わせも可能である。
【符号の説明】
【００３４】
１          段ボールパレット
２          天板
３          底板
４          桁
４ａ        ブロック
４ｎ        紙管
５ｂ        連結部材
Ｆ１        上方向からの力
Ｆ２，Ｆ２  横方向からの力
【図１】
2014162486.tif 000003
【図２】
2014162486.tif 000004
【図３】
2014162486.tif 000005
【図４】
2014162486.tif 000006
【図５】
2014162486.tif 000007
【図６】
2014162486.tif 000008
【図７】
2014162486.tif 000009